(57)【要約】【課題】  簡単な構成で骨伝導スピーカによる通話を可能とする。【解決手段】  通常のスピーカ２１が電話装置に接続されると、プルアップ抵抗１０３のコンデンサ１０２側はローレベルになり、制御部４０がこのローレベルを検出すると、アンプ１０１の増幅度を変化させない。一方、骨伝導スピーカ３１が電話装置に接続されると、プルアップ抵抗１０３のコンデンサ１０２側はハイレベルになり、制御部４０がこのハイレベルを検出すると、アンプ１０１の増幅度を上げる。このように、骨伝導スピーカ３１が電話装置に接続されると、電話装置は自動的に電話装置内部にあるアンプの増幅度を上げる。【選択図】  図３
2010273270.tif 000002
【特許請求の範囲】
【請求項１】
通常のスピーカとマイクとを有する通常の送受話器又は、骨伝導スピーカと通常のマイクとを有する骨伝導送受話器を接続可能な電話装置であり、
前記通常の送受話器又は前記骨伝導送受話器に送出する音声信号を増幅するための増幅手段と、接続した送受話器が前記通常の送受話器か、又は骨伝導送受話器かを判別する送受話器判別手段と、当該送受話器判別手段の判別結果に基づいて、前記増幅手段を制御する制御手段と、を有することを特徴とする電話装置。
【請求項２】
請求項１に記載の電話装置であり、前記送受話器判別手段は、電源と接続されたプルアップ抵抗と、当該プルアップ抵抗からの出力電圧を検出する制御部とを有し、
前記制御部は、前記プルアップ抵抗からの出力電圧が変化したことに基づいて、前記通常の送受話器、又は前記骨伝導送受話器が接続されたことを判別することを特徴とする電話装置。
【請求項３】
通常のスピーカとマイクとを有する通常の送受話器又は、骨伝導スピーカと通常のマイクとを有する骨伝導送受話器を接続可能な電話装置と、前記通常の送受話器と、前記骨伝導送受話器と、からなる電話システムであり、
前記電話装置は、前記通常の送受話器又は前記骨伝導送受話器に送出する音声信号を増幅するための増幅手段と、電源と接続されたプルアップ抵抗と、当該プルアップ抵抗からの出力電圧を検出する制御部とを有し、
前記通常の送受話器は、スピーカの一方の端子が接地可能であり、他方の端子が前記電話装置の増幅器の出力側と接続可能であり、
前記骨伝導送受話器は、スピーカの一方の端子が接地可能であり、他方の端子が骨伝導送受話器に搭載されたコンデンサを介して前記電話装置の増幅器の出力側と接続可能であり、
前記制御部は、前記プルアップ抵抗からの出力電圧が変化したことに基づいて、前記通常の送受話器か、又は前記骨伝導送受話器が接続されたことを判別し、当該判別結果に基づいて前記増幅手段を制御することを特徴とする電話システム。
【請求項４】
請求項３に記載の電話システムであり、前記電話装置が前記通常の送受話器と接続されると、前記電源が、前記プルアップ抵抗、前記通常の送受話器のスピーカを介して接地されることにより、前記プルアップ抵抗の出力電圧がローレベルになり、一方、前記電話装置が  前記骨伝導送受話器と接続されると、前記電源が、前記プルアップ抵抗、前記コンデンサ、前記通常の送受話器のスピーカを介して接地されることにより、前記プルアップ抵抗の出力電圧がハイレベルになり、
前記制御部は、前記プルアップ抵抗からの前記ローレベル又はハイレベルの信号を検出することにより、前記通常の送受話器又は骨伝導送受話器が接続されたと判別することを特徴とする電話システム。
【発明の詳細な説明】
【技術分野】
【０００１】
本発明は電話装置、特に通常の送受話器と骨伝導型の送受話器を接続可能な電話装置及び電話システムに関する。
【背景技術】
【０００２】
近年では骨伝導機能を搭載した電話装置が製品化されている。この種電話装置では、骨伝導スピーカを振動させ、この振動が骨を伝わることにより、ユーザが相手側の音声を認識することができる。
【０００３】
また、骨伝導スピーカを搭載した送受話器に関する技術が公開特許公報にて公開されている。例えば特許文献１には、骨伝導スピーカを搭載した送受話器を電話機本体に取り付けることにより、通常の電話機を骨伝導機能を有する電話機にする技術が記載されている。
【先行技術文献】
【特許文献】
【０００４】
【特許文献１】特開２００４−３１２１７１号公報
【発明の概要】
【発明が解決しようとする課題】
【０００５】
一般的に、骨伝導スピーカはスピーカを振動させることにより振動を骨に伝えている為、骨伝導スピーカに入力する（駆動する）為の信号は通常のスピーカに入力する信号に比べてレベルを上げる必要がある。
【０００６】
通常の送受話器又は骨伝導スピーカを搭載した送受話器を電話機に装着し駆動させる為には、電話機本体から送受話器に音声信号を送出する経路にゲインの異なる２つのアンプを搭載させるか、或いは１つのアンプのゲインを何らかの方法で切替える必要がある。
【０００７】
又、引用文献１に記載の技術のようにアンプを送受話器内部に搭載させる場合には、アンプを駆動するための電源を別途設ける必要があり、このような構造は電話装置のコスト高を招くだけでなく、電源を供給するためのコードが邪魔となり、快適な通話を妨げる要因となる。
【課題を解決するための手段】
【０００８】
本発明はこのような課題を解決するためのものであり、コストがかからずにしかも快適
な通話を提供可能な、電話装置及び電話システムを提供するものである。
請求項１に記載の発明は、通常のスピーカとマイクとを有する通常の送受話器又は、骨伝導スピーカと通常のマイクとを有する骨伝導送受話器を接続可能な電話装置であり、  前記通常の送受話器又は前記骨伝導送受話器に送出する音声信号を増幅するための増幅手段と、接続した送受話器が前記通常の送受話器か、又は骨伝導送受話器かを判別する送受話器判別手段と、当該送受話器判別手段の判別結果に基づいて、前記増幅手段を制御する制御手段と、を有することを特徴とする。このため、電話装置側が接続された送受話器の種類に応じて自動的に増幅器のゲインを制御することが可能である為、簡単な回路構成で、装置のコスト高を回避することが可能である。
請求項２に記載の発明は、請求項１に記載の電話装置であり、前記送受話器判別手段は、電源と接続されたプルアップ抵抗と、当該プルアップ抵抗からの出力電圧を検出する制御部とを有し、前記制御部は、前記プルアップ抵抗からの出力電圧が変化したことに基づいて、前記通常の送受話器、又は前記骨伝導送受話器が接続されたことを判別することを特徴とする。このため、簡単な回路構成で、接続された送受話器が通常の送受話器であるか、骨伝導送受話器であるかを判別することが可能である。
請求項３に記載の発明は、通常のスピーカとマイクとを有する通常の送受話器又は、骨伝導スピーカと通常のマイクとを有する骨伝導送受話器を接続可能な電話装置と、前記通常の送受話器と、前記骨伝導送受話器と、からなる電話システムであり、前記電話装置は、前記通常の送受話器又は前記骨伝導送受話器に送出する音声信号を増幅するための増幅手段と、電源と接続されたプルアップ抵抗と、当該プルアップ抵抗からの出力電圧を検出する制御部とを有し、前記通常の送受話器は、スピーカの一方の端子が接地可能であり、他方の端子が前記電話装置の増幅器の出力側と接続可能であり、前記骨伝導送受話器は、スピーカの一方の端子が接地可能であり、他方の端子が骨伝導送受話器に搭載されたコンデンサを介して前記電話装置の増幅器の出力側と接続可能であり、前記制御部は、前記プルアップ抵抗からの出力電圧が変化したことに基づいて、前記通常の送受話器か、又は前記骨伝導送受話器が接続されたことを判別し、この判別結果に基づいて増幅手段を制御することを特徴とする。このため、簡単な回路構成で、接続された送受話器が通常の送受話器であるか、骨伝導送受話器であるかを判別することが可能である。
請求項４に記載の発明は、請求項３に記載の電話システムであり、前記電話装置が前記通常の送受話器と接続されると、前記電源が、前記プルアップ抵抗、前記通常の送受話器のスピーカを介して接地されることにより、前記プルアップ抵抗の出力電圧がローレベルになり、一方、前記電話装置が  前記骨伝導送受話器と接続されると、前記電源が、前記プルアップ抵抗、前記コンデンサ、前記通常の送受話器のスピーカを介して接地されることにより、前記プルアップ抵抗の出力電圧がハイレベルになり、前記制御部は、前記プルアップ抵抗からの前記ローレベル又はハイレベルの信号を検出することにより、前記通常の送受話器又は骨伝導送受話器が接続されたと判別することを特徴とする。このため、簡単な回路構成で、接続された送受話器が通常の送受話器であるか、骨伝導送受話器であるかを判別することが可能である。
【発明の効果】
【０００９】
本発明によれば、送受話器に別途アンプや電源コードなどを搭載せずとも、骨伝導型送受話器を電話装置に接続して、骨伝導による通話を実現することができる。このため、装置のコスト高となることを回避することができるだけでなく、電源コードがからまり、ユーザの快適な通話環境を阻害するといった問題を回避することが可能である。
【図面の簡単な説明】
【００１０】
【図１】本発明を適用してなる実施例装置の外観図である。
【図２】本実施例装置の電話装置１０のブロック図である。
【図３】ゲイン制御回路１００の回路図である。
【発明を実施するための形態】
【００１１】
次に、本発明の一実施形態に係る電話装置について、図面を参照して説明する。なお、本実施形態の電話装置では留守番電話装置について説明するが、本発明は、この種の電話装置に限られることはなく、親機と子機間が無線で接続可能なコードレス電話装置や、電話機能を有するファクシミリ装置等にも適用することができるものである。
【実施例】
【００１２】
図１は、本発明を適用してなる実施例装置である留守番電話装置１０と送受話器２０、骨伝導スピーカを搭載した送受話器３０（以下、骨伝導送受話器３０と称す）の全体構成を示す図である。送受話器２０には、通常のスピーカとマイクとが搭載されており、一方、骨伝導送受話器３０には、通常のマイクと骨伝導スピーカが搭載されている。
【００１３】
本実施例装置では、留守番電話装置１０を通常の留守番電話として使用する際には、送受話器２０を留守番電話装置１０に装着することにより、留守番電話装置１０を通常の留守番電話装置として使用することができる。一方、通話相手からの音声を骨伝導スピーカにより聞きたい時には、送受話器２０の代わりに骨伝導送受話器３０を留守番電話装置１０に装着することにより、骨伝導スピーカを用いて相手側と通話を行うことが可能である。
第２図は、親機１０のブロック図である。親機１０は制御部４０を有し、制御部４０は各回路の制御を司る。又、制御部４０はＲＯＭ（Ｒｅａｄ  Ｏｎ１ｙ  Ｍｅｍｏｒｙ）４１に格納されている制御プログラムに基づいて動作する。
フラッシュメモリ４２は、電話番号と氏名を複数対で格納可能な電話帳メモリとしての機能や、着信時の日時と氏名を複数対で格納可能な着信履歴メモリとしての機能等を有する。
表示部４３は、例えば液晶表示装置からなり、待受け時には現在時刻を表示し、着信時には発呼側の電話番号を表示する。
操作部４４は、電話番号を入力するためのテンキー、機能キー、留守録動作をオンオフするための留守番キー、等からなる。
フック検出部４５は、送受話器２０（又は骨伝導送受話器３０）のオンフック、オフフック状態を検出する。
着信検出部４６は、回線Ｌ１からの着信信号の有無を検出し、その結果を制御部４０に通知する。
リレー駆動回路４７は、スイッチ４８をオンオフするための回路であり、例えば、フック検出部４５が送受話器２０（又は骨伝導送受話器３０）のオフフックを検出すると、リレー駆動回路４７がスイッチ４８を制御することによりスイッチ４８がオン（閉じる）となり、回線が閉結される。
クロスポイント回路４９は、制御部４０の制御に基づいて、回線Ｌ１、ＤＡＣ回路５０、ゲイン制御回路１００間の信号経路の切り替えを行うものである。このクロスポイント回路４９は、例えば、ゲイン制御回路１００からの音声信号を回線２０に与えたり、また、回線２０からの音声信号をゲイン制御回路１００へ与えるなど信号経路の切り替えを行う。
ＤＡＣ回路５０は、クロスポイント回路４９から与えられたアナログの音声信号をデジタル信号に変換して、制御部４０に与え、また、制御部４０からのデジタル信号をアナログ信号に変換し、クロスポイント回路４９を介して回線Ｌ１やゲイン制御回路１００へ与える。このような経路を形成することにより、例えば、回線Ｌ１から入力された用件メッセージをフラッシュメモリ４２に記憶したり、フラッシュメモリ４２に記憶されている応答メッセージを回線Ｌ１へ送出することが可能である。スピーカ５１は着信音の送出を行う。
次に、ゲイン制御回路１００について説明する。図３は、ゲイン制御回路１００の詳細を示す回路図である。尚、ゲイン制御回路１００と送受話器２０のスピーカ又は骨伝導送受話器３０のスピーカを接続する回路部分のみ詳細に説明している。アンプ１０１は、クロスポイント回路４９からの音声信号を入力し増幅する。又、アンプ１０１の出力側にはコンデンサ１０２が接続されており、このコンデンサ１０２とモジュラージャック１０５を介してアンプ１０１と送受話器２０のスピーカ２１又は、骨伝導送受話器３０のスピーカ３２とが接続される。更に、コンデンサ１０２にはプルアップ抵抗１０３を介して電源１０４が接続されており、プルアップ抵抗１０３のコンデンサ１０２側は、制御部４０に接続されている（検出端子Ａ）。又、アンプ１０１は制御部４０の制御に基づいてゲインを調整可能である。
送受話器２０にはスピーカ２１が、骨伝導送受話器３０にはスピーカ３１とコンデンサ３２が搭載されている。
次に、ゲイン制御回路１００の動作について説明する。まず、送受話器２０をモジュラージャック１０５に接続した場合について説明する。送受話器２０をモジュラージャック１０５に接続すると、電源１０４は、プルアップ抵抗１０３、スピーカ２１を介して接地される為、制御部４０の検出端子Ａはローレベルとなる。検出端子Ａがローレベルとなったことを制御部４０が検出すると、通常の増幅度でアンプ１０１が音声信号の増幅を行う。
一方、骨伝導送受話器３０をモジュラージャック１０５に接続すると、電源１０４は、コンデンサ３２により接地されず、制御部４０の検出端子Ａはハイレベルとなる。検出端子Ａがハイレベルとなったことを制御部４０が検出すると、制御部４０は、アンプ１０１を制御することにより、アンプ１０１の増幅度を上げる。例えば、送受話器２０を接続した際には、アンプ１０１の出力電圧を５０（ｍｖ）となるようにアンプ１０１の増幅度を決定しておき、骨伝導送受話器３０を接続した際には、アンプ１０１の出力電圧が５００（ｍｖ）となるように、アンプ１０１の増幅度を例えば２０（ｄＢ）とする。
このような構成とすることにより、送受話器２０を電話装置１０に接続した際と、骨伝送送受話器３０を電話装置１０に接続した際とで、アンプ１０１のゲインを自動的に調整することが可能である。このため、ユーザの手動操作によりアンプ１０１のゲインを切替えたり、引用文献１に記載の技術のように、送受話器にアンプを搭載し、このアンプを駆動させるための電源を別途必要とすることがない。
即ち、本実施例装置によると、ユーザによるゲインの切り替え操作を必要としない為、ユーザに快適な通話環境を提供できる。又、送受話器に別途電源コードやアンプ等を必要としない為、装置のコストアップを回避することが可能である。更に、送受話器に電源コードを必要としない為に、ユーザは快適な通話を実現することができる。
【符号の説明】
【００１４】
１０      電話装置
２０      送受話器
３０      骨伝導送受話器
３２      コンデンサ
４０      制御部
１００    ゲイン制御回路
１０１    アンプ
１０２    コンデンサ
１０３    プルアップ抵抗
１０４    電源
１０５    モジュラージャック
【図１】
2010273270.tif 000003
【図２】
2010273270.tif 000004
【図３】
2010273270.tif 000005